(57)【要約】      （修正有）【課題】堆肥の製造状況をリアルタイムに分かることができる堆肥検出装置を提出する。【解決手段】堆肥検出装置１１０は、堆肥の中に設けられるためのものであり、主に、温度センサー２１０と、タイムレコーダー２２０と、通信モジュール２３０と、制御回路２４０と、を備える。この堆肥装置における温度センサー２１０により堆肥の温度を取得し、この温度が第１の予定温度より高く、第２の予定温度より高く、及び第３の予定温度より低い場合、制御回路２４０は、対応する時間を記録し、また対応するメッセージを遠隔装置に発信する。ただし、第１の予定温度は室温より高く、第２の予定温度は第１の予定温度より高く、第３の予定温度は第１の予定温度より低い。【選択図】図２
0003202466.tif 000002
【実用新案登録請求の範囲】
【請求項１】
堆肥の中に設けられるための堆肥検出装置において、
前記堆肥の対応温度を検出するための温度センサーと、
時間を記録するためのタイムレコーダーと、
通信モジュールと、
前記温度センサー、前記タイムレコーダー及び前記通信モジュールに電気的に結合されており、室温より高い第１の予定温度、前記第１の予定温度より高い第２の予定温度、及び前記第１の予定温度より低い第３の予定温度を記録するための制御回路と、
を備え、
前記制御回路は、更に、前記温度を受信することに用いられ、前記温度が前記第１の予定温度より高くなると、前記温度を第１の記録温度として、対応する第１の記録時間を記録し、第１のリアルタイムメッセージを生成し、前記通信モジュールによって前記第１のリアルタイムメッセージを遠隔装置に発信し、
前記温度が前記第２の予定温度より高くなると、前記制御回路は、前記温度を第２の記録温度として、対応する第２の記録時間を記録し、第２のリアルタイムメッセージを生成し、前記通信モジュールによって前記第２のリアルタイムメッセージを前記遠隔装置に発信し、
前記温度が前記第３の予定温度より低くなると、前記制御回路は、前記温度を第３の記録温度として、対応する第３の記録時間を記録し、堆肥終了メッセージを生成し、前記通信モジュールによって前記堆肥終了メッセージを前記遠隔装置に発信する堆肥検出装置。
【請求項２】
前記制御回路は、更に、予定警報時間を記録し、前記タイムレコーダーの時間が前記予定警報時間より長くなり、検出された前記温度が前記第２の予定温度より高くない場合、警報メッセージを生成し、前記通信モジュールによって前記警報メッセージを前記遠隔装置に発信する請求項１に記載の堆肥検出装置。
【請求項３】
前記制御回路は、更に、前記堆肥の中に設けられた加熱モジュールに電気的に結合され、前記制御回路が前記温度を受信し始めると、起動メッセージを生成して前記加熱モジュールを起動させ、前記制御回路が前記第１のリアルタイムメッセージを生成すると、停止メッセージを生成して前記加熱モジュールを停止する請求項１に記載の堆肥検出装置。
【請求項４】
前記制御回路は、更に、第１の予定時間及び第４の予定温度を記録し、前記堆肥の中に設けられた攪拌モジュールに電気的に結合され、前記制御回路が前記第２のリアルタイムメッセージを生成する場合、既に前記第１の予定時間を経過し又は前記温度が前記第４の予定温度より低いと判断すると、起動メッセージを生成して前記攪拌モジュールを起動させ、前記第４の予定温度が前記第２の予定温度より低く、且つ前記第４の予定温度が前記第３の予定温度より高い請求項１に記載の堆肥検出装置。
【請求項５】
前記制御回路は、更に、第５の予定温度を記録し、前記制御回路は、前記攪拌モジュールを起動させた後で、前記温度が前記第５の予定温度より低く且つ前記第３の予定温度より高いと判断すると、停止メッセージを生成して前記攪拌モジュールを停止する請求項４に記載の堆肥検出装置。
【請求項６】
前記制御回路は、更に、酸素センサーとガス供給装置に電気的に結合され、前記酸素センサーは、前記堆肥の対応酸素数値を検出することに用いられ、
前記制御回路は、前記第１のリアルタイムメッセージを生成した後で、前記酸素数値が予定酸素数値より低いと判断すると、起動メッセージを生成して前記ガス供給装置を起動させる請求項１に記載の堆肥検出装置。
【請求項７】
前記制御回路は、更に、湿度センサー及び加湿機に電気的に結合され、前記湿度センサーは、前記堆肥の対応湿度を検出することに用いられ、
前記制御回路は、前記湿度が予定湿度より低いと判断すると、起動メッセージを生成して前記加湿機を起動させる請求項１に記載の堆肥検出装置。
【請求項８】
前記制御回路に電気的に結合される表示装置を更に備え、
前記制御回路は、前記第１の記録時間に基づいて見積完成時間を算出し、また前記見積完成時間を前記表示装置に表示する請求項１に記載の堆肥検出装置。
【請求項９】
前記制御回路は、前記第１の記録時間及び前記第２の記録時間に基づいて前記見積完成時間を算出・更新し、また更新された前記見積完成時間を前記表示装置に表示する請求項８に記載の堆肥検出装置。
【考案の詳細な説明】
【技術分野】
【０００１】
本考案は、堆肥の製造に関し、特に、堆肥の製造進度を検出可能な堆肥検出装置に関する。
【背景技術】
【０００２】
作物に良好な栽培環境を与えるために、肥沃な土壌には十分な腐熟有機質（土壌腐植質とも言う）がなければならない。堆肥は、生の有機質を腐熟有機質に転換するために製造される。ここで、「腐熟」とは、有機質が完全に分解することではなく、有機質が作物の生長に適する程度に分解することである。一般的に、仕上げられた堆肥は、黒褐色で、細かく、柔らかくふかふかして、土の香りがわずかに感じられる。堆肥の製造過程中、温度、酸素濃度、攪拌時間、静置時間等の要素を制御する必要がある。従って、これらの要素を如何に監視して、堆肥製造の成功可能性を向上させるかは、当業者の重視している課題になる。しかしながら、従来のオープンタイプの堆肥では、失敗しやすく、特に経験不足な人にとって、堆肥の製造途中の進度判断及び関連データの記録が難しく、常に失敗の原因を容易に探せない。従って、堆肥の関連情報を自動的に検出して記録することができ、堆肥の進度と状態をリアルタイムにユーザーに与え、堆肥の調整可能な環境条件をユーザーに注意し、更に堆肥の成功可能性を向上させる装置が必要である。
【考案の概要】
【課題を解決するための手段】
【０００３】
本考案は、堆肥の中に設けられるための堆肥検出装置において、堆肥の対応温度を検出するための温度センサーと、時間を記録するためのタイムレコーダーと、通信モジュールと、温度センサー、タイムレコーダー及び通信モジュールに電気的に結合されており、室温より高い第１の予定温度、第１の予定温度より高い第２の予定温度、及び第１の予定温度より低い第３の予定温度を記録するための制御回路と、を備え、制御回路は、更に、前記温度を受信することに用いられ、前記温度が第１の予定温度より高くなると、前記温度を第１の記録温度として、対応する第１の記録時間を記録し、第１のリアルタイムメッセージを生成し、通信モジュールによってリアルタイムメッセージを遠隔装置に発信し、温度が第２の予定温度より高くなると、制御回路は、温度を第２の記録温度として、対応する第２の記録時間を記録し、第２のリアルタイムメッセージを生成し、通信モジュールによって第２のリアルタイムメッセージを遠隔装置に発信し、温度が第３の予定温度より低くなると、制御回路は、温度を第３の記録温度として、対応する第３の記録時間を記録し、堆肥終了メッセージを生成し、通信モジュールによって堆肥終了メッセージを遠隔装置に発信する堆肥検出装置を提出提案する。
【０００４】
ある実施例において、制御回路は、更に、予定警報時間を記録し、タイムレコーダーの時間が予定警報時間より長くなり、検出された温度が第２の予定温度より高くない場合、警報メッセージを生成し、通信モジュールによって警報メッセージを遠隔装置に発信する。
【０００５】
ある実施例において、制御回路は、更に、堆肥の中に設けられた加熱モジュールに電気的に結合され、制御回路が温度を受信し始めると、起動メッセージを生成して加熱モジュールを起動させ、制御回路が第１のリアルタイムメッセージを生成すると、停止メッセージを生成して加熱モジュールを停止する。
【０００６】
ある実施例において、制御回路は、更に、第１の予定時間及び第４の予定温度を記録し、堆肥の中に設けられた攪拌モジュールに電気的に結合され、制御回路が第２のリアルタイムメッセージを生成する場合、既に第１の予定時間を経過した又は温度が第４の予定温度より低いと判断すると、起動メッセージを生成して攪拌モジュールを起動させ、第４の予定温度が第２の予定温度より低く、且つ前記第４の予定温度が第３の予定温度より高い。
【０００７】
ある実施例において、制御回路は、更に、第５の予定温度を記録し、制御回路は、攪拌モジュールを起動させた後で、温度が第５の予定温度より低く且つ第３の予定温度より高いと判断すると、停止メッセージを生成して、攪拌モジュールを停止する。
【０００８】
ある実施例において、制御回路は、更に、酸素センサー及びガス供給装置に電気的に結合され、酸素センサーは、堆肥の対応酸素数値を検出することに用いられ、制御回路は、第１のリアルタイムメッセージを生成した後で、酸素数値が予定酸素数値より低いと判断すると、起動メッセージを生成してガス供給装置を起動させる。
【０００９】
ある実施例において、制御回路は、更に、湿度センサー及び加湿機に電気的に結合され、湿度センサーは、堆肥の対応湿度を検出することに用いられ、制御回路は、湿度が予定湿度より低いと判断すると、起動メッセージを生成して加湿機を起動させる。
【００１０】
ある実施例において、堆肥検出装置は、制御回路に電気的に結合される表示装置を更に備え、制御回路は、第１の記録時間に基づいて見積完成時間を算出し、また見積完成時間を表示装置に表示する。ある実施例において、制御回路は、第１の記録時間及び第２の記録時間に基づいて見積完成時間を算出・更新し、また更新された見積完成時間を表示装置に表示する。
【考案の効果】
【００１１】
上記の堆肥検出装置では、ユーザーは、遠隔装置によって堆肥製造の状況をリアルタイムに分かることができ、更に、湿度、温度、酸素濃度等を適切に調整することができる。又は、堆肥検出装置は、対応する装置を自動的に起動させることもできる。このように、堆肥製造の成功可能性を向上させることができる。
【００１２】
下記添付図面の詳細な説明は、本考案の上記又はその他の利点を実施例に合わせてより分りやすくするためのものである。
【図面の簡単な説明】
【００１３】
【図１】一実施例による堆肥検出装置で堆肥製造を助力する状況を示す概略図である。
【図２】一実施例による堆肥検出装置１１０を示す概略図である。
【図３】一実施例による堆肥製造の温度曲線を示す。
【考案を実施するための形態】
【００１４】
本明細書に使用される「第１の」、「第２の」等については、順序又は順位を特定する意味ではなく、同一の技術用語で記述される要素又は操作を区別するためだけのものである。
【００１５】
図１は、一実施例による堆肥検出装置で堆肥製造を助力する状況を示す概略図である。図１を参照されたい。堆肥検出装置１１０は、堆肥１２０の中に設けられるためのものであり、主に、温度センサー２１０と、タイムレコーダー２２０と、通信モジュール２３０と、制御回路２４０と、を備える。ある実施例において、堆肥検出装置１１０は、容易に堆肥１２０に挿入されるように、実際上、長棒状、長柱状又は長板状等となってもよいが、本考案において、その外形、材料及び大小は制限されない。堆肥検出装置１１０には、少なくとも、堆肥１２０の温度を検出するための温度センサー２１０が設けられる。堆肥検出装置１１０は、また、相応のメッセージを生成して、メッセージを遠隔装置１３０に発信する。遠隔装置１３０は、例えば、スマートフォン、タブレットＰＣ、パソコン、サーバー又は他の如何なる電子装置であってもよい。このように、ユーザーは、遠隔装置１３０によって堆肥１２０の状況を知ることができる。別の実施例において、堆肥検出装置１１０は、攪拌モジュール１４２、ガス供給装置１４４、加湿機１４６、湿度センサー１４８、酸素センサー１５０及び加熱モジュール１５２に電気的に結合されて、これらの装置から情報を受信し、又はメッセージをこれらの装置に発信することができる。注意すべきなのは、図１は概略図だけであるが、本考案では、攪拌モジュール１４２、ガス供給装置１４４、加湿機１４６、湿度センサー１４８、酸素センサー１５０及び加熱モジュール１５２の設けられる位置は制限されない。例えば、攪拌モジュール１４２、ガス供給装置１４４、加湿機１４６は堆肥１２０の中に設けられてもよい。
【００１６】
図２は、一実施例による堆肥検出装置１１０を示す概略図である。図２を参照されたい。堆肥検出装置１１０は、温度センサー２１０と、タイムレコーダー２２０と、通信モジュール２３０と、制御回路２４０と、表示装置２５０と、を備える。
【００１７】
温度センサー２１０は、温度を検出するためのものであり、堆肥検出装置１１０が堆肥１２０に挿入される場合、温度センサー２１０は、堆肥１２０に対応する温度を検出することができる。通信モジュール２３０は、遠隔装置１３０に電気的に結合されるためのものであり、如何なる適当なプロトコル又は基準に適ってもよい。例えば、通信モジュール２３０は、実際上、例えば、ブルートゥース（Ｂｌｕｅｔｏｏｔｈ（登録商標））モジュール又はＷｉＦｉモジュールのような無線伝送モジュールであってもよい。制御回路２４０は、温度センサー２１０、タイムレコーダー２２０及び通信モジュール２３０に電気的に結合され、実際上、如何なる形態のプロセッサー又はプログラム化可能な回路であってもよい。
【００１８】
図３は、一実施例による堆肥製造の温度曲線を示す。図３を参照されたい。制御回路２４０は、第１の予定温度Ｔ１、第２の予定温度Ｔ２、第３の予定温度Ｔ３、第４の予定温度Ｔ４及び第５の予定温度Ｔ５を記録する。第１の予定温度Ｔ１は室温（約２５℃）より高く、第２の予定温度Ｔ２は第１の予定温度Ｔ１より高く、第４の予定温度Ｔ４は第２の予定温度Ｔ２より低く、第５の予定温度Ｔ５は第４の予定温度Ｔ４より低く、第３の予定温度Ｔ３は第５の予定温度より低い。例えば、第１の予定温度Ｔ１は４０℃〜５０℃であり、第２の予定温度Ｔ２は６０℃〜８０℃であり、第４の予定温度Ｔ４は５５℃〜７５℃であり、第５の予定温度Ｔ５は約３５℃であり、第３の予定温度Ｔ３は室温程度である。これらの温度は、堆肥の製造がどの段階に進展するかを検出するためのものである。
【００１９】
図１〜図３を参照されたい。まず、制御回路２４０は、温度センサー２１０により検出された温度を受信し、この温度が第１の予定温度Ｔ１より高くなると、この温度を第１の記録温度として、対応する第１の記録時間Ｒ１を記録する。また、制御回路２４０は、第１のリアルタイムメッセージを生成し、通信モジュール２３０によってこの第１のリアルタイムメッセージを遠隔装置１３０に発信する。例えば、この第１のリアルタイムメッセージは、堆肥の温度が既に第１の予定温度Ｔ１を超え、この場合、微生物の活性が向上し、ある微生物が有機質を分解しはじめたことを、ユーザーに通知するためのものである。ある実施例において、堆肥が第１の予定温度Ｔ１を超えるために加温される必要があるので、制御回路２４０は、温度センサー２１０により検出された、第１の予定温度Ｔ１を超えていない温度を受信する場合、堆肥を加熱するように、加熱モジュール１５２を起動させるための起動メッセージを生成する。制御回路２４０が第１のリアルタイムメッセージ（つまり、第１の記録時間Ｒ１）を生成する場合、制御回路２４０は、加熱モジュール１５２を停止するための停止メッセージを生成する。
【００２０】
第１の記録時間Ｒ１の後で、制御回路２４０は、検出された温度を引き続き受信して、この温度が第２の予定温度Ｔ２を超えたかを判断する。温度が第２の予定温度Ｔ２より高くなると、制御回路２４０は、この温度を第２の記録温度として、対応する第２の記録時間Ｒ２を記録する。また、制御回路２４０は、第２のリアルタイムメッセージを生成し、通信モジュール２３０によって前記第２のリアルタイムメッセージを遠隔装置１３０に発信する。例えば、第２のリアルタイムメッセージは、堆肥の温度が既に第２の予定温度Ｔ２を超えたことを、ユーザーに通知するためのものである。また、ある実施例において、制御回路２４０は、更に、予定警報時間を記録し、タイムレコーダー２２０の時間がこの予定警報時間より長く、且つ検出された温度が第２の予定温度Ｔ２を超えていない場合、警報メッセージを生成し、また通信モジュール２３０によってこの警報メッセージを遠隔装置１３０に発信する。例えば、この警報メッセージは、堆肥の温度がずっと第２の予定温度Ｔ２を超えていなく、つまり微生物の発酵に問題がある可能性があることを、ユーザーに通知するためのものである。ユーザーは、更に、堆肥の状況を検査することができる。
【００２１】
制御回路２４０は、更に、例えば、２日〜３日である第１の予定時間を記録する。検出された温度が第２の予定温度Ｔ２を超えた後、制御回路２４０は、第１の予定時間を経過したか及び／又は検出された温度が第４の予定温度Ｔ４より低いかを判断する。既に第１の予定時間を経過した及び／又は温度が第４の予定温度Ｔ４より低くなると判断すると、制御回路２４０は、攪拌モジュール１４２を起動させるために、起動メッセージを生成する。ある実施例において、この場合、制御回路２４０は、第４の記録時間Ｒ４を記録し、またリアルタイムメッセージをユーザーに発信して、そのとき堆肥の静置・攪拌が既に開始したことを知らせることもできる。
【００２２】
制御回路２４０は、第４の記録時間Ｒ４に攪拌モジュール１４２を起動させた後、検出された温度が第５の予定温度Ｔ５より低いかを判断する。検出された温度が第５の予定温度Ｔ５より低くなると、制御回路２４０は、停止メッセージを生成して、攪拌モジュール１４２を停止する。この場合、制御回路２４０は、第５の記録時間Ｒ５を記録し、またリアルタイムメッセージをユーザーに発信して、堆肥の当時の状況を知らせることもできる。
【００２３】
次に、制御回路２４０は、検出された温度が第３の予定温度Ｔ３より低いかを判断する。温度が第３の予定温度Ｔ３より低くなると、制御回路２４０は、この温度を第３の記録温度として、対応する第３の記録時間Ｒ３を記録する。また、制御回路２４０は、堆肥終了メッセージを生成して、通信モジュール２３０によってこの堆肥終了メッセージを遠隔装置１３０に発信する。これにより、ユーザーは、堆肥製造を終了したことが分かる。
【００２４】
ある実施例において、制御回路２４０は、ガス供給装置１４４を起動／停止させることもできる。具体的には、第１の記録時間Ｒ１から第４の記録時間Ｒ４まで（つまり、制御回路２４０が第１のリアルタイムメッセージを生成した後で）、酸素センサー１５０は、堆肥１２０の相応酸素数値を検出し（使用される酸素センサーによって、測定範囲や単位が異なる）、またこの酸素数値を制御回路２４０に発信する。制御回路２４０は、この酸素数値がある予定酸素数値（堆肥及び微生物によって、異なる数値が設定される）より低くなると判断する場合、起動メッセージを生成してガス供給装置１４４を起動させる。ガス供給装置１４４は、酸素を堆肥１２０に提供することができる。例えば、酸素センサー１５０として、Ｆｉｇａｒｏ  ＫＥ-２５  ｏｘｙｇｅｎ  ｓｅｎｓｏｒが使用される場合、その測定範囲は０〜１００％であり、予定酸素数値は２０％であってもよい。制御回路２４０は、感知された酸素数値が２０％より低くなると判断する場合、ガス供給装置１４４を起動させて、空気を入れ又は酸素を増加する。
【００２５】
一方、第２の記録時間Ｒ２の前（第１の記録時間Ｒ１の前を含む）に、湿度センサー１４８は、堆肥１２０の相応湿度を検出し、またこの湿度を制御回路２４０に発信する。制御回路２４０は、この湿度が予定湿度より低くなると判断する場合（異なる堆肥及び微生物によって、例えば、５０％〜８０％にある異なる数値が設定される）、起動メッセージを生成して、加湿機１４６を起動させる。例えば、加湿機１４６は、散水によって、堆肥１２０の湿度を上昇させてもよい。
【００２６】
ある実施例において、制御回路２４０は、堆肥の完熟時間を予測することもできる。具体的には、制御回路２４０は、第１の記録時間Ｒ１に基づいて見積完成時間を算出し、またこの見積完成時間を表示装置２５０に表示することができる。又は、この見積完成時間は、第１のリアルタイムメッセージと共に遠隔装置１３０に発信されてもよい。また、制御回路２４０は、第１の記録時間Ｒ１及び第２の記録時間Ｒ２に基づいて上記の見積完成時間を算出・更新し、また更新された見積完成時間を表示装置２５０に表示することもできる。又は、この更新された見積完成時間は、第２のリアルタイムメッセージと共に遠隔装置１３０に発信されてもよい。また、制御回路２４０は、別々に第４の記録時間Ｒ４及び第５の記録時間Ｒ５の時点で見積完成時間を更新し、また更新された見積完成時間を遠隔装置１３０に発信することもできる。このように、ユーザーは、堆肥の製造進度を把握することができる。
【００２７】
ある実施例において、攪拌モジュール１４２、ガス供給装置１４４、加湿機１４６及び加熱モジュール１５２はユーザーにより制御されるが、制御回路２４０は、上記特定の状況を検出する場合（例えば、湿度が低すぎ、酸素濃度が低すぎ、温度が低すぎ、攪拌する必要があること等）、対応する起動メッセージと停止メッセージを遠隔装置１３０に発信して、それらの装置を起動／停止させる必要があることをユーザーに知らせることもできる。また、ある実施例において、複数の堆肥検出装置１１０を異なる堆肥の中に置いてもよい。複数の堆肥検出装置１１０のそれぞれがメッセージを遠隔装置１３０に発信できるので、ユーザーは、１つの遠隔装置１３０によって複数の堆肥の製造状態を監視できるようになる。
【００２８】
本考案を実施例を用いて前述の通りに開示したが、これは、本考案を限定するものではなく、当業者であれば、本考案の思想と範囲から逸脱しない限り、若干の変更や修正を加えることができ、したがって、本考案の保護範囲は、下記添付の実用新案登録請求の範囲で指定した内容を基準とするものである。
【符号の説明】
【００２９】
１１０  堆肥検出装置
１２０  堆肥
１３０  遠隔装置
１４２  攪拌モジュール
１４４  ガス供給装置
１４６  加湿機
１４８  湿度センサー
１５０  酸素センサー
１５２  加熱モジュール
２１０  温度センサー
２２０  タイムレコーダー
２３０  通信モジュール
２４０  制御回路
２５０  表示装置
Ｔ１〜Ｔ５  温度
Ｒ１〜Ｒ５  時間
【図１】
0003202466.tif 000003
【図２】
0003202466.tif 000004
【図３】
0003202466.tif 000005